(57)【要約】【課題】  宅内等のローカルエリアで発生した異常を迅速かつ的確にユーザに伝達できるようにする。【解決手段】  宅内で異常が発生したかを宅内に設置されたサーバで判定する。サーバが異常と判定した場合、サーバは、宅内の表示機能をもつ表示装置に視覚効果のある警報を表示させる。これにより異常の発生がユーザに速やかに伝達され、適切な対応が迅速に行われる。  サーバは、宅内の異常を検出すると、異常を表示すべき表示装置の条件と、ネットワークに接続された表示装置の状況に基づいて、異常表示を行うべき表示装置を決定する。また、異常の内容に応じて異常報知に用いる画面を構成し、これを、異常表示に用いるものとして決定した表示装置に表示させる。【選択図】    図１
2005341544.tif 000002
【特許請求の範囲】
【請求項１】
ホームネットワーク上の表示装置と接続されるサーバであって、
異常が発生したことを判断する異常発生判断部と、
前記異常発生判断部が異常の発生を判断したとき、異常報知を行う表示装置を選択する条件とホームネットワーク上の表示装置に関する情報とに基づいて、異常報知を行う表示装置を決定する表示装置決定部とを有する、
ことを特徴とするサーバ。
【請求項２】
請求項１に記載のサーバにおいて、
前記表示装置決定部が異常報知を行う表示装置がないと決定したとき、異常が発生した旨を示す情報を含むメールを所定のアドレスに送信するメール送信部をさらに有する、
ことを特徴とするサーバ。
【請求項３】
請求項１に記載のサーバにおいて、
前記表示装置決定部が決定した表示装置に対し、報知を指示する制御情報を送信する制御情報送信部をさらに有する、
ことを特徴とするサーバ。
【請求項４】
請求項３に記載のサーバにおいて、
前記異常発生判断部は、発生した異常の内容を解析する異常解析部を含み、
前記制御情報送信部は、前記異常解析部における異常の解析結果に基づき、前記表示装置決定部が決定した表示装置に対して報知を指示する制御情報を送信する、
ことを特徴とするサーバ。
【請求項５】
請求項４に記載のサーバにおいて、
前記制御情報は、表示する報知画像を指示する情報である、
ことを特徴とするサーバ。
【請求項６】
請求項４に記載のサーバにおいて、
報知画像を生成する画像生成部と、
前記表示装置決定部が決定した表示装置に対し、前記生成した画像を送信する画像送信部をさらに有し、
前記制御情報送信部は、前記異常解析部における異常の解析結果に基づき、報知画像を生成するよう前記画像生成部を制御し、前記生成した画像を前記画像送信部から送信するよう制御する、
ことを特徴とするサーバ。
【請求項７】
請求項４に記載のサーバにおいて、
前記制御情報送信部は、前記異常解析部における異常の解析結果に基づき、ホームネットワーク上のカメラに対して、撮像画像を前記表示装置決定部が決定した表示装置に送信するよう指示する制御情報を送信し、前記表示装置決定部が決定した表示装置に対して、前記カメラから受信した画像を表示するよう指示する制御情報を送信する、
ことを特徴とするサーバ。
【請求項８】
請求項１ないし７の何れかに記載のサーバにおいて、
前記異常報知を行う表示装置を選択する条件は、表示装置の電源状態がOnであることを含む、
ことを特徴とするサーバ。
【請求項９】
請求項１ないし７の何れかに記載のサーバにおいて、
前記異常報知を行う表示装置を選択する条件は、表示装置の近くに人がいることを含む、
ことを特徴とするサーバ。
【請求項１０】
請求項１ないし７の何れかに記載のサーバにおいて、
前記異常報知を行う表示装置を選択する条件は、前記ホームネットワーク上の全ての表示装置である、
ことを特徴とするサーバ。
【請求項１１】
請求項１に記載のサーバにおいて、
前記表示装置は、テレビであって、
前記表示装置決定部が決定した表示装置が、現在番組視聴中であるか否かを判断する表示装置使用状況判断部と、
前記表示装置使用状況判断部が、前記表示装置決定部が決定した表示装置が現在番組視聴中であると判断すると、前記ホームネットワーク上のレコーダに対して、現在前記表示装置が選択しているチャンネルを示す情報を含む前記チャンネルの番組の録画を指示する録画指示部とをさらに有する、
ことを特徴とするサーバ。
【請求項１２】
ホームネットワーク上の機器を制御するサーバと接続される表示装置であって、
異常報知に用いる画像を記憶する画像記憶部と、
前記サーバから異常報知を指示する制御情報を受信し、受信した制御情報に基づいて、異常の報知を制御する制御情報処理部と、
前記制御情報処理部の制御に基づいて、前記画像記憶部に記憶された画像を表示する表示部とを有する、
ことを特徴とする表示装置。
【請求項１３】
請求項１２に記載の表示装置において、
前記表示部は、前記制御情報処理部の制御に基づいて、前記画像記憶部に記憶された画像に前記画像と異なる情報を合成して表示する、
ことを特徴とする表示装置。
【請求項１４】
請求項１２あるいは１３に記載野の表示装置において、
ネットワーク上のカメラからの画像を受信するカメラ画像受信部を有し、
前記表示部は、前記制御情報処理部の制御に基づいて、前記画像記憶部に記憶された画像に前記カメラ画像受信部から受信したカメラ画像を合成して表示する、
ことを特徴とする表示装置。
【発明の詳細な説明】
【技術分野】
【０００１】
本発明は、サーバおよびこれに接続された表示装置に関し、特に、宅内等のローカルエリア内で異常が発生したことをユーザに報知する際に用いて好適なものである。
【背景技術】
【０００２】
不審者の侵入を検知した際に、これを利用者に報知する方法として、専用端末にその旨を表示し、あるいは、警戒音を鳴らす方法等が提案されている。
【０００３】
特許文献１には、リモコンあるいは操作パネルに対しユーザが行った操作入力の状況や、テレビ装置に取り付けられたセンサからの情報にもとづいて、視聴者の挙動や室内の状況を検知し、この検知結果と記憶データにもとづいて異常判定を行うシステムが開示されている。このシステムにおいて、異常と判定された際には、視聴者センターに備えられたセンターサーバに異常を示す通知がなされる。さらに、センターサーバから送信元の双方向テレビに対して、問い合わせの表示が行われる。
【特許文献１】特開２００２−２５１６８４号公報
【発明の開示】
【発明が解決しようとする課題】
【０００４】
上記のシステムでは、宅内で異常が発生した場合、宅外のセンターサーバへ異常発生が通知され、センターサーバにて異常が確認されたとき、ネットワークを介してユーザに指示が与えられる。このとき、ユーザが不在であれば、消防や警察などに通報が行われる。このような処理手順をとることにより、消防や警察への誤報は減少すると考えられる。しかし、宅外のセンターサーバとの間で通信が必要となるため、通報までに時間を要してしまうとの問題がある。
【０００５】
さらに、上記のシステムでは、不法侵入者が居住者になりすまして対応した場合、センターサーバにて異常を検知できない恐れがある。また、センターサーバから、文字や音声にてユーザ（居住者）に通知がなされるため、ユーザがこれを見落としてしまう可能性を含んでいる。
【０００６】
また、上記のシステムでは、専用の端末装置を用いて異常報知が行われるため、ユーザが端末装置の近くにいない場合には、異常の発生に気づかない可能性もある。これを避けるために専用の端末装置を増設することも可能であるが、この場合には、コストの増加を招くことになってしまう。
【０００７】
本発明は、こうした状況に鑑みてなされたものであり、宅内等のローカルエリアで発生した異常を迅速かつ的確にユーザに伝達できるようにすることを目的とするものである。
【課題を解決するための手段】
【０００８】
本発明においては、ローカルエリア内における異常はローカルエリア内に設置されたサーバにて判定される。これにより、外部に設けられたセンターサーバ等との間で通信を行う必要はなく、異常発生の検出とユーザへの確認を迅速に行うことができる。
【０００９】
また、本発明においては、あらかじめローカルエリア内に設置されたテレビ等の表示機能をもつ表示装置に視覚効果のある警報が表示される。これにより、異常の内容をユーザに的確に伝達することができ、また、表示手段として専用端末を用いないため増設に伴うコストの上昇を回避できる。
【００１０】
さらに、本発明においては、ＯＮ状態にある表示装置や、人が近くにいる表示装置等、ユーザによって見られる可能性の高い表示装置が、警報の表示を行うための表示装置として選択される。これにより、異常の発生をより確実にユーザに伝達できる。
【００１１】
各請求項に係る発明は、それぞれ以下の特徴を有する。
【００１２】
請求項１の発明は、ホームネットワーク上の表示装置と接続されるサーバにおいて、異常が発生したことを判断する異常発生判断部と、前記異常発生判断部が異常の発生を判断したとき、異常報知を行う表示装置を選択する条件とホームネットワーク上の表示装置に関する情報とに基づいて、異常報知を行う表示装置を決定する表示装置決定部とを有することを特徴とする。
【００１３】
請求項２の発明は、請求項１に記載のサーバにおいて、前記表示装置決定部が異常報知を行う表示装置がないと決定したとき、異常が発生した旨を示す情報を含むメールを所定のアドレスに送信するメール送信部をさらに有することを特徴とする。
【００１４】
請求項３の発明は、請求項１に記載のサーバにおいて、前記表示装置決定部が決定した表示装置に対し、報知を指示する制御情報を送信する制御情報送信部をさらに有することを特徴とする。
【００１５】
請求項４の発明は、請求項３に記載のサーバにおいて、前記異常発生判断部は、発生した異常の内容を解析する異常解析部を含み、前記制御情報送信部は、前記異常解析部における異常の解析結果に基づき、前記表示装置決定部が決定した表示装置に対して報知を指示する制御情報を送信することを特徴とする。
【００１６】
請求項５の発明は、請求項４に記載のサーバにおいて、前記制御情報は、表示する報知画像を指示する情報であることを特徴とする。
【００１７】
請求項６の発明は、請求項４に記載のサーバにおいて、報知画像を生成する画像生成部と、前記表示装置決定部が決定した表示装置に対し、前記生成した画像を送信する画像送信部をさらに有し、前記制御情報送信部は、前記異常解析部における異常の解析結果に基づき、報知画像を生成するよう前記画像生成部を制御し、前記生成した画像を前記画像送信部から送信するよう制御することを特徴とする。
【００１８】
請求項７の発明は、請求項４に記載のサーバにおいて、前記制御情報送信部は、前記異常解析部における異常の解析結果に基づき、ホームネットワーク上のカメラに対して、撮像画像を前記表示装置決定部が決定した表示装置に送信するよう指示する制御情報を送信し、前記表示装置決定部が決定した表示装置に対して、前記カメラから受信した画像を表示するよう指示する制御情報を送信することを特徴とする。
【００１９】
請求項８の発明は、請求項１ないし７の何れかに記載のサーバにおいて、前記異常報知を行う表示装置を選択する条件は、表示装置の電源状態がOnであることを含むことを特徴とする。
【００２０】
請求項９の発明は、請求項１ないし７の何れかに記載のサーバにおいて、前記異常報知を行う表示装置を選択する条件は、表示装置の近くに人がいることを含むことを特徴とする。
【００２１】
請求項１０の発明は、請求項１ないし７の何れかに記載のサーバにおいて、前記異常報知を行う表示装置を選択する条件は、前記ホームネットワーク上の全ての表示装置であることを特徴とする。
【００２２】
請求項１１の発明は、請求項１に記載のサーバにおいて、前記表示装置は、テレビであって、前記表示装置決定部が決定した表示装置が、現在番組視聴中であるか否かを判断する表示装置使用状況判断部と、前記表示装置使用状況判断部が、前記表示装置決定部が決定した表示装置が現在番組視聴中であると判断すると、前記ホームネットワーク上のレコーダに対して、現在前記表示装置が選択しているチャンネルを示す情報を含む前記チャンネルの番組の録画を指示する録画指示部とをさらに有することを特徴とする。
【００２３】
請求項１２の発明は、ホームネットワーク上の機器を制御するサーバと接続される表示装置であって、異常報知に用いる画像を記憶する画像記憶部と、前記サーバから異常報知を指示する制御情報を受信し、受信した制御情報に基づいて、異常の報知を制御する制御情報処理部と、前記制御情報処理部の制御に基づいて、前記画像記憶部に記憶された画像を表示する表示部とを有することを特徴とする。
【００２４】
請求項１３の発明は、請求項１２に記載の表示装置において、前記表示部は、前記制御情報処理部の制御に基づいて、前記画像記憶部に記憶された画像に前記画像と異なる情報を合成して表示することを特徴とする。
【００２５】
請求項１４の発明は、請求項１２あるいは１３に記載の表示装置において、ネットワーク上のカメラからの画像を受信するカメラ画像受信部を有し、前記表示部は、前記制御情報処理部の制御に基づいて、前記画像記憶部に記憶された画像に前記カメラ画像受信部から受信したカメラ画像を合成して表示することを特徴とする。
【発明の効果】
【００２６】
本発明によれば、異常発生時、宅内のサーバで異常判定を行うことにより、外部との通信に要する時間を削減でき、より素早く対応することによって危険の拡大を防ぐことができる。また、文字だけではなく画像を用いて警報を報知することにより、ユーザが容易に警報を認識することができる。
【００２７】
さらに、部屋のテレビ等をはじめ、宅内の表示機能を備えた表示装置に、警報を報知することにより、ユーザが宅内において警報に容易に気づく環境を提供することができる。
【００２８】
本発明の特徴ないし技術的意義は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００２９】
本発明の実施の形態について、図を参照しながら以下に説明する。なお、本実施の形態は、宅内に構築されるネットワークシステムに本発明を適用したものである。
【実施例１】
【００３０】
図１は、実施の形態に係る警報システムの構成例である。
【００３１】
警報システムは、異常検知装置１０、端末装置２０、ホームサーバ３０、人感知装置４０、テレビ５０、カメラ６０から構成されている。これらの異常検知装置１０、端末装置２０、人感知装置４０、テレビ５０、カメラ６０は、ネットワークを介してホームサーバ３０に接続されている。
【００３２】
異常検知装置1０および人感知装置４０は、共に人感センサや振動センサ等にて構成されている。これらは、人の接近や窓の振動等（以下、“検知対象事項”という）を検知し、かかる検知対象事項を検知したときに、ホームサーバ３０に対し検知対象事項が発生した旨の事項発生情報を送信する。なお、人感知装置４０は、テレビ５０が設置されている部屋に必ず一つ設置されている。本実施の形態において、人感知装置４０は、テレビ５０の近くに人がいるかを検知できるよう構成されている。
【００３３】
端末装置２０は、ネットワークに接続された機器に関するユーザからの入力を制御する。また、機器の状態を示す情報や、警報に関する情報などの各種情報の表示を行う。
【００３４】
ホームサーバ３０は、ネットワークで接続された機器を制御する。特に、ネットワークに接続された異常検知装置１０から事項発生情報を受信すると、それが異常の発生となるか否かを判断し、異常の発生と判断した場合は、宅内のテレビ５０に異常発生の出力を行わせるよう制御する。
【００３５】
テレビ５０は、既存のテレビ放送を受信するとともに、ホームサーバ３０からの制御情報に基づき、異常発生の出力を行う。
【００３６】
カメラ６０は、ホームサーバ３０から送信される制御情報に基づき撮像部にて取得した画像情報を、テレビ５０やホームサーバ３０に出力する。
【００３７】
図２は、ホームサーバ３０の機能ブロック図である。
【００３８】
図２を参照して、ホームサーバ３０の構成について説明する。図示の如く、ホームサーバ３０は、事項発生情報受信部３０１、異常情報記憶部３０２、異常判定部３０３、画像生成部３０４、報知画像送信部３０５、メールアドレス記憶部３０６、メール送信部３０７、機器情報受信部３０８、選択条件受信部３０９、警報送信先判定部３１０、制御情報送信部３１１、システムコントローラ３１２、情報要求部３１３を備える。
【００３９】
事項発生情報受信部３０１は、異常検知装置１０から送信される事項発生情報を受信する。
【００４０】
異常情報記憶部３０２は、これまでに事項発生情報受信部３０１が受信した事項発生情報と、それが異常状態を示すものであったか否かを示す情報と、異常判定部３０３にて行われる異常の内容に関する判断結果とを対応付けて記憶する。異常情報記憶部３０２に記憶された情報は、異常判定部３０３にて参照される。
【００４１】
異常判定部３０３は、異常情報記憶部３０２に記憶された情報を用いて、事項発生情報受信部３０１が受信した事項発生情報が異常状態を示すものであるか否かを判断する。また、事項発生情報が異常状態を示すものである場合に、異常状態を解析および識別し、その解析結果を含んだ異常発生を報知するための制御情報を制御情報送信部３１１に送信する。
【００４２】
画像生成部３０４は、異常の発生をユーザに知らせるための画像情報を生成する。報知画像送信部３０５は、画像生成部３０４によって生成された画像情報をテレビ５０に送信する。
【００４３】
メールアドレス記憶部３０６は、警報を通知する相手先のメールアドレスを記憶する。メール送信部３０７は、異常の発生を伝達するメールを送信先アドレスに送信する。
【００４４】
機器情報受信部３０８は、端末装置２０より送信される機器情報を受信する。この機器情報は、ネットワークに接続された機器の状態や機能などを含む。なお、テレビ５０に関する機器情報（以下、“ＴＶ機器情報”という）の詳細は、追って、図５を参照して説明する。
【００４５】
選択条件受信部３０９は、異常の発生を出力させるテレビの選択条件に関する情報（以下、“ＴＶ選択条件情報”という）およびテレビ表示領域のうち異常の警報画像を表示する領域の条件に関する情報（以下、“ＴＶ表示条件情報“という）を端末装置２０から受信する。なお、これらの情報の詳細は、追って、図６を参照して説明する。
【００４６】
警報送信先判定部３１０は、機器情報受信部３０８が受信したＴＶ機器情報と選択条件受信部３０９が受信したＴＶ選択条件情報に基づいて、異常の発生を出力させるテレビを決定する。
【００４７】
制御情報送信部３１１は、異常の発生をテレビ５０から出力させるに際し、異常判定部３０３から受信した制御情報にもとづいて、異常の発生を表示するための画面をテレビに表示させるための制御情報や、カメラ６０にて撮像した画像をテレビ５０の出力画面に取り込ませるための制御情報等を、対応するテレビ５０およびカメラ６０に送信する。
【００４８】
システムコントローラ３１２は、ホームサーバ３０内の各部を制御する。情報要求部３１３は、端末装置２０に対し、機器情報と、異常発生の出力に用いるテレビの条件に関する情報の提供を要求する。
【００４９】
図３は、端末装置２０の機能ブロック図である。
【００５０】
図示の如く、端末装置２０は、条件項目記憶部２０１、表示部２０２、操作検知部２０３、機器情報記憶部２０４、機器情報送信部２０５、選択条件記憶部２０６、選択条件送信部２０７、機器情報受信部２０８、入力部２０９、システムコントローラ２１０、情報要求受信部２１１を備える。
【００５１】
条件項目記憶部２０１は、異常の発生を出力するテレビの条件候補に関する情報と、異常の警報画像の表示領域の条件候補を記憶する。条件項目記憶部２０１には、前者の条件候補として、例えば、“宅内のテレビ全てに表示する”、“電源がついているテレビに表示する”、“人がいる部屋にあるテレビに表示する”などの条件が記憶されている。また、後者の条件候補として、例えば、“画面の一部に表示する”、“画面全体に表示する”などの条件が記憶されている。
【００５２】
表示部２０２は、各種情報を表示する。操作検知部２０３は、入力部２０９に対するユーザの操作入力を検知する。
【００５３】
機器情報記憶部２０４は、機器情報受信部２０８が受信した、ネットワークに接続されている各機器の機器情報を記憶する。機器情報送信部２０５は、機器情報記憶部２０４に記憶されている機器情報をホームサーバ３０に送信する。
【００５４】
選択条件記憶部２０６は、条件項目記憶部２０１に記憶されている条件候補の中から、ユーザによって選択された条件（ＴＶ選択条件情報、ＴＶ表示条件情報）を記憶する。また、選択条件送信部２０７は、選択条件記憶部２０６に記憶されている条件情報をホームサーバ３０に送信する。
【００５５】
機器情報受信部２０８は、ネットワークに接続されている機器から送信される機器情報を受信する。入力部２０９は、ユーザの入力を制御する。システムコントローラ２１０は、端末装置２０内の各部を制御する。
【００５６】
情報要求受信部２１１は、ホームサーバ３０から機器情報、ＴＶ選択条件情報およびＴＶ表示条件情報の送信要求を受信するとともに、この受信に応じて、機器情報送信部２０５および選択条件送信部２０７に各々機器情報およびＴＶ選択条件情報、ＴＶ表示条件情報の送信を行うよう指示する。
【００５７】
図４は、テレビ５０の機能ブロック図である。なお、同図には、従来のテレビと同一の機能を構成する部分を図示省略し、本発明と関連する構成部分について示してある。
【００５８】
図示の如く、テレビ５０は、報知画像受信部５０１、制御情報受信部５０２、システムコントローラ５０３、操作検知部５０４、機器情報送信部５０５、画像入力部５０６、画像合成部５０７、画像記憶部５０８、表示部５０９および入力部５１０を備える。
【００５９】
報知画像受信部５０１は、ホームサーバ３０から送信された異常発生を示す画像情報を受信する。
【００６０】
制御情報受信部５０２は、異常発生の出力についてホームサーバ３０から送信される制御情報を受信する。この制御情報は、異常発生の表示に用いる画像の構成方法や表示方法などを指示する情報である。制御情報受信部５０２は、この制御情報に基づいて、表示部５０９に画像を表示させるための制御を行う。
【００６１】
システムコントローラ５０３は、テレビ５０内の各部を制御する。操作検知部５０４は、ユーザの入力操作を検知する。
【００６２】
機器情報送信部５０５は、自機に関する情報を端末装置２０に送信する。この情報は、動作状態を示す情報や自機が画面分割表示機能を備えるか否かを示す情報を含んでいる。
【００６３】
画像入力部５０６は、カメラ６０で撮像して取得した画像情報を、ネットワークを介して受信する。画像合成部５０７は、ホームサーバ３０からの指示（制御情報）に応じて、画像、テキスト、カメラ画像などを合成し、異常の発生を表示する画像を生成する。画像記憶部５０８は、異常発生の表示に用いられる画像情報を記憶する。画像記憶部５０８に記憶された画像情報は、ホームサーバ３０からの指示（制御情報）に従って読み出され、表示部５０９に表示される。
【００６４】
表示部５０９は、異常発生を表示する画像を表示する。入力部５１０は、電源のＯＮ／ＯＦＦ、ボリューム調整、番組選択等を行うためのインタフェースである。
【００６５】
図５は、ＴＶ機器情報の一部構成例である。
【００６６】
図示の如く、ＴＶ機器情報には、テレビを識別するための情報およびテレビの配置位置を示す情報の他、電源のOn/Off状態や選択中のチャンネルに関する情報、近くに人がいるか否かを示す情報、画面分割表示機能の有無を示す情報が含まれている。これらの情報がテレビ毎に対応付けられて、機器情報記憶部２０４に記憶されている。
【００６７】
これらの情報のうち、画面分割表示機能の有無を示す情報は、ネットワークへの接続時にテレビ５０から端末装置２０に提供され機器情報記憶部２０４に記憶される。また、テレビの状態に関する情報（電源のOn/Off状態や選択中のチャンネルに関する情報）はネットワークへの接続後に随時、テレビ５０から端末装置２０に提供され機器情報記憶部２０４に更新記憶される。
【００６８】
また、テレビを識別するための情報（機器名）や配置場所等を示す情報は、ネットワークに機器が接続されたときに、ユーザが端末装置２０から入力することによって設定される。これらの情報は、ユーザあるいは他の機器が、新しく接続された機器を識別するために用いられる。
【００６９】
また、近くに人がいるか否かを示す情報は、テレビ５０が設置された部屋にある人感知装置４０から適宜、端末装置２０に提供され機器情報記憶部２０４に更新記憶される。
【００７０】
図１０は、上記の機器情報を設定する際の処理を概略的に示すフローチャートである。以下、テレビ５０を宅内のネットワークに接続したときの流れについて、同図を参照しながら説明する。
【００７１】
まず、宅内のネットワークにテレビ５０が新たに接続されると、プラグアンドプレイ機能により、端末装置２０の機器情報受信部２０８は、テレビ５０の機器情報送信部５０５から送信される当該テレビ５０に関する情報（画面分割表示機能の有無を示す情報を含む）を受信し、これを機器情報記憶部２０４に記憶する（ｓ１０００）。記憶された情報は、表示部２０２に表示され（ｓ１００２）、この情報について変更等があれば、ユーザによって入力部２０９から変更情報が入力される。さらに、テレビ５０を設置した場所を示す情報や機器を識別するための情報（機器名）がユーザによって入力される（ｓ１００４）。機器に関する情報がすべて入力され、これらの情報を記憶するようユーザから指示されると（ｓ１００６）、システムコントローラ２１０は、入力された情報を機器情報記憶部２０４に記憶させる（ｓ１００８）。これにより、テレビ接続時の処理は終了する。
【００７２】
その後、端末装置２０は、ネットワークに接続されたテレビ５０について、電源のOn/Off状態、現在の選択チャンネル等を常に監視する。また、ホームサーバ３０は、必要に応じて情報要求部３１３からテレビ５０の機器情報（ＴＶ機器情報）の送信を端末装置２０に要求し、端末装置２０からテレビ５０の機器情報を取得する。
【００７３】
ホームサーバ３０からの動作指示やユーザによるリモコン操作等によってテレビ５０の状態が変わると、テレビ５０は、状態が変化したこと示す情報を機器情報送信部５０５から端末装置２０に送信する。
【００７４】
端末装置２０は、機器情報受信部２０８がテレビ５０から送信される情報を受信すると、受信した情報を、システムコントローラ２１０による制御によって、機器情報記憶部２０４に記憶させる。また、端末装置２０は、ホームサーバ３０からＴＶ機器情報の送信要求を受信すると、機器情報記憶部２０４に記憶された、ＴＶ機器情報を機器情報送信部２０５からホームサーバ３０に送信する。
【００７５】
図６に、異常の発生を出力するテレビの条件（ＴＶ選択条件情報）と、異常の発生を表示する表示領域の条件（ＴＶ表示条件情報）を例示する。
【００７６】
図６（ａ）は、ＴＶ選択条件情報を例示するものである。かかる条件情報は、上記の如く、端末装置２０の条件項目記憶部２０１に記憶されている。これらの条件候補の中から、所望の条件がユーザによって選択され設定される。すなわち、同図の場合、ユーザは、”宅内のテレビ全てに表示する”、”電源がついているテレビに表示する”、”人がいる部屋にあるテレビに表示する”の条件候補の中から、所望の条件を選択し端末装置２０に設定する。設定された条件は、端末装置２０の選択条件記憶部２０６に記憶される。
【００７７】
図６（ｂ）は、ＴＶ表示条件情報を例示するものである。かかる条件も、上記の如く、端末装置２０の条件項目記憶部２０１に記憶されている。これらの中から、所望の条件がユーザによって選択され設定される。すなわち、同図の場合、ユーザは、”画面の一部に表示する”、”画面全体に表示する”の条件候補の中から、所望の条件を選択し端末装置２０に設定する。設定された条件は、端末装置２０の選択条件記憶部２０６に記憶される。
【００７８】
図１１は、条件を選択する際の処理を概略的に示すフローチャートである。
【００７９】
まず、端末装置２０は、予め条件項目記憶部２０１に記憶されている条件候補を取得し（ｓ９００）、これを表示部２０２に表示する（ｓ９０２）。次に、ユーザによる入力部２１０からの入力によって、表示された条件候補の中からユーザ所望の条件が選択される（ｓ９０４）。操作検知部２０３がユーザによる選択入力を検知すると（ｓ９０６）、システムコントローラ２１０は、選択された条件を選択条件として選択条件記憶部２０６に記憶する（ｓ９０８）。これにより、条件の選択設定処理が終了する。
【００８０】
かかる処理は、異常の発生を出力するテレビの条件（図６（ａ）参照）に対する選択設定時と、異常の発生を表示する表示領域の条件（図６（ｂ）参照）に対する選択設定時において、それぞれ行われる。
【００８１】
図７に、異常発生時にテレビ５０に表示される画像の例を示す。
【００８２】
図７（ａ）は、ガス漏れ等の異常状態を検知した場合など、発生場所や対処方法が特定できる場合に表示される画像の例である。テレビ５０の画像記憶部５０８には、予め定型の画像情報が記憶されている。このうち発生場所や対処方法に対応する画像が読み出され表示される。この場合、定型の画像情報を読み出すだけでよく、画像の加工が必要ないため、迅速に画像表示を行うことができる。
【００８３】
図７（ｂ）は、不審者を検知したときなど、あらかじめテレビ５０の画像記憶部５０８に記憶されている“不審者検知”画像に、異常が発生した場所を示す情報を合成して出力する場合の表示画像である。
【００８４】
図７（ｃ）は、あらかじめテレビ５０の画像記憶部５０８に記憶されている異常発生を報知するための画像に、カメラ６０で撮像した画像を合成して出力する場合の表示画像である。
【００８５】
図７（ｄ）は、多くの情報を同時に報知する場合や、複数の異常事態が同時に発生したことを報知する場合などに出力される表示画像である。このように、多くの情報を合成する場合の画像情報は、ホームサーバ３０で生成される。
【００８６】
次に、本警報システムの動作例を説明する。
【００８７】
図８は、異常発生を報知する処理の全体を概略的に示すフローチャートである。
【００８８】
まず、システムが異常の発生を監視中に、異常検知装置1０が検知対象事項を検知すると(ｓ７００）、異常検知装置1０は、事項発生情報をホームサーバ３０に送信する（ｓ７０２）。
【００８９】
ホームサーバ３０では、事項発生情報受信部３０１が事項発生情報を受信すると、異常判定部３０３が、異常情報記憶部３０２に記憶されているデータに基づき、異常検知装置１０にて検知された事項が異常な状態を示すものであるか否かを判断し、異常状態を解析する（ｓ７０４）。
【００９０】
ｓ７０４において、異常判定部３０３が異常状態であると判断した場合（ｓ７０４Ｙ）は、異常発生を報知するための処理が実行される（ｓ７０６）。一方、異常判定部３０３が異常状態でないと判断した場合（ｓ７０４Ｎ）は、異常発生に対する監視が継続される（ｓ７０８）。
【００９１】
図９は、図８におけるｓ７０６の処理を概略的に示すフローチャートである。
【００９２】
このフローチャートは、ネットワークに接続されている複数のテレビのうち異常の発生を出力するテレビを選択するための処理ステップ（ｓ８００〜ｓ８０８）と、選択されたテレビに対して異常の内容に対応した画面を表示させるための処理ステップ（ｓ８１０〜ｓ８２４）を含んでいる。
【００９３】
まず、上記ｓ７０４において、ホームサーバ３０の異常判定部３０３が異常状態であると判断すると（ｓ７０４Ｙ）、異常判定部３０３は、制御情報送信部３１１に対して、異常状態の解析結果を含んだ異常発生を報知するための制御情報を送信する。同時に、異常判定部３０３は、端末装置２０から、ＴＶ選択条件情報およびＴＶ表示条件情報と、ネットワークに接続された全てのＴＶ機器情報を取得するよう、情報要求部３１３に指示する。
【００９４】
この指示に基づいて、情報要求部３１３は、ＴＶ選択条件情報およびＴＶ表示条件情報と、ネットワークに接続された全てのＴＶ機器情報の送信要求を、端末装置２０に送信する（ｓ８００）。
【００９５】
ホームサーバの情報要求部３１３からから送信された送信要求は、端末装置２０の情報要求受信部２１１によって受信される。端末装置２０では、情報要求受信部２１１が受信した送信要求に基づいて、選択条件送信部２０７および機器情報送信部２０５が、それぞれＴＶ選択条件情報およびＴＶ表示条件情報と、ネットワーク上の全てのテレビに関するＴＶ機器情報を、選択条件記憶部２０６と機器情報記憶部２０４から読み出し、ホームサーバ３０に送信する。
【００９６】
端末装置２０の選択条件送信部２０７および機器情報送信部２０５によって送信されたＴＶ選択条件情報およびＴＶ表示条件情報とＴＶ機器情報は、それぞれホームサーバ３０の選択条件受信部３０９と機器情報受信部３０８によって受信される（ｓ８０２）。
【００９７】
次に、ホームサーバ３０の警報送信先判定部３１０は、機器情報受信部３０８が受信したＴＶ機器情報と、選択条件受信部３０９が受信したＴＶ選択条件情報とを参照し、ＴＶ選択条件情報に整合するテレビを全て検出する検索を行う（ｓ８０４）。
【００９８】
かかる検索において、ＴＶ選択条件情報に整合するテレビが検出されなかった場合（ｓ８０６：Ｎ）、ホームサーバのメール送信部３０７は、異常発生を報知する相手先のメールアドレスをメールアドレス記憶部３０６より取得し、異常発生を示す情報を含むメールをこのメールアドレス宛に送信する。
【００９９】
一方、ＴＶ選択条件情報に整合するテレビが検出された場合（ｓ８０６：Ｙ）、制御情報送信部３１１は、異常判定部３０３から送信された制御情報に基づいて、異常状態の内容を解析し（ｓ８１０）、この異常状態の内容の解析結果に基づいて、発生した異常の種類と発生場所を特定できるか否かを判断する（ｓ８１２）。
【０１００】
ｓ８１２において、異常の種類と発生場所を特定できると判断された場合（ｓ８１２：Ｙ）、制御情報送信部３１１は、テレビ５０の画像記憶部５０８に予め記憶されている定型の画像のうち、発生した異常の種類と発生場所に対応する画像が出力されるように、発生した異常の種類や異常発生場所などの情報を含む制御情報をテレビ５０に対して送信する（ｓ８１４）。
【０１０１】
この場合、テレビ５０では、ホームサーバ３０の制御情報送信部３１１から送信された制御情報を制御情報受信部５０２が受信すると、受信した制御情報に基づいて、画像記憶部５０８から該当する画像情報が取得され、これを表示部５０９に表示する制御が行われる（ｓ８１６）。この制御によって、表示部５０９は、発生した異常を報知する画像（定型画像）を表示する（ｓ８１８）。
【０１０２】
一方、ｓ８１２において、発生した異常の種類と発生場所を特定できないと判断された場合（ｓ８１２：Ｎ）、制御情報送信部３１１は、発生した異常の状態や異常発生場所などの情報を含む制御情報をテレビ５０に送信する。同時に、発生した異常についてカメラ６０が撮像した画像があるか否かを判定する（ｓ８２０）。
【０１０３】
ｓ８２０において、発生した異常についてカメラ６０が撮像した画像があると判定された場合（ｓ８２０：Ｙ）、制御情報送信部３１１は、カメラ６０に対して、カメラ６０が撮像した画像をテレビ５０に出力するように制御情報を送信する（ｓ８２２）。
【０１０４】
この場合、テレビ５０では、カメラ６０から画像情報を受信すると、制御情報受信部５０２がホームサーバ３０の制御情報送信部３１１から受信した制御情報に基づいて、画像記憶部５０８から該当する異常報知用の画像情報が読み出され画像合成部５０７に出力される。画像合成部５０７は、この画像と、画像入力部５０６から受信したカメラの撮像画像を合成し、これを表示部５０９に表示するよう制御する（ｓ８１６）。この制御に基づいて、表示部５０９は異常を報知する画像（定型画像＋撮像画像）を表示する（ｓ８１８）。
【０１０５】
また、ｓ８２０において、発生した異常についてカメラ６０が撮像した画像がないと判定された場合（ｓ８２０：Ｎ）、ホームサーバ３０の制御情報送信部３１１は、画像生成部３０４に対して異常報知画像を生成するよう指示する。この指示に基づいて、画像生成部３０４は、異常を報知するための画像情報を生成し、報知画像送信部３０５に送信する。報知画像送信部３０５は、画像生成部３０４で生成された異常報知用の画像情報を受信し、この画像情報をテレビ５０に送信する（ｓ８２４）。
【０１０６】
この場合、テレビ５０では、制御情報受信部５０２がホームサーバ３０の制御情報送信部３１１から送信された制御情報を受信し、報知画像受信部５０１がホームサーバ３０の報知画像送信部３０５から送信された異常報知用の画像情報を受信すると、制御情報受信部５０２が、受信した制御情報に基づいて、受信した報知画像を表示部５０９に表示するよう制御する。この制御に基づいて、表示部５０９は異常を報知するための画像（ホームサーバ３０によって生成された画像）を表示する（ｓ８１８）。
【０１０７】
なお、ｓ８１８における画像表示は、ユーザによって設定されたＴＶ表示条件情報（図６（ｂ）参照）に従って行われる。この場合、ホームサーバ３０は、端末装置２０から取得したＴＶ表示条件情報とＴＶ機器情報をもとに、異常を出力させるテレビに画面分割機能が配備されているか否かを判別する。そして、画面分割機能があるテレビに対しては、制御情報に表示領域の条件に関する情報を含めて送信する。画面分割機能がないテレビに対しては、表示領域の条件に関する情報を含まない制御情報を送信する。
【０１０８】
テレビ５０は、画面分割機能を有する場合、ホームサーバ３０から受信した条件に従って異常の発生を表示するための領域を設定し、設定した領域に異常報知用の画像を出力する。たとえば、この条件が“画面の一部に表示する”というものであれば、テレビは、表示画面を分割し、表示動作中の画像と異常発生報知用の画像を対応する分割領域に表示する。このとき、テレビが表示動作中になければ、異常発生報知用の画像を全画面表示するようテレビを制御しても良い。一方、テレビ５０に画面分割機能が配備されていない場合は、異常発生報知用の画像が全画面表示される。
【実施例２】
【０１０９】
図１２は、第２の実施の形態に係る警報システムの構成を示す。本実施の形態の警報システムには、ネットワークを介してレコーダ７０が接続されている。他の構成は図１に示した第１の実施の形態の警報システムと同様である。
【０１１０】
レコーダ７０は、テレビ５０で視聴可能な番組を記録することが可能であることに加え、ホームサーバ３０等からの制御情報に基づいて、様々な動作を実行できる。また、このレコーダは、自機の電源のOn/Off状態や動作状況など、自機の状態を示す情報を端末装置２０に送信する機能を備える。レコーダ７０から送信された情報は、端末装置２０の機器情報受信部２０８で受信され、レコーダ７０の機器情報として、機器情報記憶部２０４に記憶される。
【０１１１】
図１３は、第１の実施の形態における図９のｓ８１８に係る処理を概略的に示すフローチャートである。以下、図９のｓ８１８に係る処理について説明する。
【０１１２】
ホームサーバ３０では、制御情報送信部３１１が、機器情報受信部３０８から受信したテレビ５０の機器情報（ＴＶ機器情報）に基づいて、異常を出力するためのテレビ５０が画面分割機能を備えているか否かを判定する（ｓ１１０２）。
【０１１３】
ここで、テレビ５０が画面分割機能を備えている場合（ｓ１１０２：Ｙ）、制御情報送信部３１１は、テレビ５０に対して、分割した画面の一部に報知情報を表示するように制御するための制御情報を送信する。
【０１１４】
テレビ５０では、制御情報受信部５０２が受信した制御情報に基づいて、報知画像を表示部５０９の分割した画面の一部に表示する（ｓ１１０４）
一方、テレビ５０が画面分割機能を備えていない場合（ｓ１１０２：Ｎ）、ホームサーバ３０の制御情報送信部３１１は、機器情報受信部３０８から受信したレコーダ７０の機器情報に基づいて、現在レコーダ７０が再生中であるか否かを判断する（ｓ１１０６）。
【０１１５】
ｓ１１０６において、現在レコーダ７０は再生中であり、その再生出力がテレビ５０に出力されていると判断された場合（ｓ１１０６Ｙ）、制御情報送信部３１１は、レコーダ７０の再生を停止させるよう制御するための制御情報をレコーダ７０に送信する。また、制御情報送信部３１１は、画面全体に報知情報を表示するよう制御するための制御情報をテレビ５０に送信する。
【０１１６】
レコーダ７０は、受信した制御情報に基づいて、現在の再生を停止させる（ｓ１１０８）。また、テレビ５０は、制御情報受信部５０２が受信した制御情報に基づいて、異常報知用の画像を表示部５０９の画面全体に表示するよう制御し、この制御に基づいて、表示部５０９は異常報知用の画像を表示する（ｓ１１１０）。
【０１１７】
一方、ｓ１１０６において、現在レコーダ７０が停止状態であるとき（ｓ１１０６Ｎ）、制御情報送信部３１１は、テレビ５０が受信した放送を表示しているか、あるいは、電源がOffであるかを判断する（ｓ１１１２）。
【０１１８】
ｓ１１１２において、テレビ５０が放送を受信し表示していると判断された場合（ｓ１１１２：Ｙ）、ホームサーバ３０の制御情報送信部３１１は、現在受信しているチャンネルの放送を録画するよう制御するための制御情報を制御情報送信部３１１からレコーダ７０に送信する。このとき、ホームサーバ３０から送信される制御情報は、レコーダ７０が録画を行う際に必要となる情報、すなわち、テレビ５０に関する機器情報（ＴＶ機器情報）から取得した受信チャンネルを示す情報と、別途記憶されている番組情報等から取得した現在受信している放送番組の開始時刻および終了時刻を含む録画を指示する情報を含む。
【０１１９】
また、制御情報送信部３１１は、テレビ５０に対して、画面全体に報知情報を表示するよう制御するための制御情報を送信する。
【０１２０】
ホームサーバ３０から送信された制御情報を受信したレコーダ７０は、受信した制御情報、すなわち、録画を指示する情報に基づいて、指定のチャンネルの番組を終了時刻まで録画する（ｓ１１１４）。
【０１２１】
一方、テレビ５０は、制御情報受信部５０２が受信した制御情報に基づいて、異常報知用の画像を表示部５０９の画面全体に表示するよう制御し、この制御に基づいて、表示部５０９は異常報知用の画像を表示する（ｓ１１１０）。
【０１２２】
また、上記ｓ１１１２において、テレビ５０が電源Offである場合（ｓ１１１２Ｎ）、
ホームサーバ３０の制御情報送信部３１１は、テレビ５０に対して、電源をOnするように制御するための制御情報を送信する。さらに、テレビ５０に対して、画面全体に報知情報を表示するよう制御するための制御情報を送信する。
【０１２３】
テレビ５０は、制御情報受信部５０２が受信した制御情報に基づいて、テレビ５０の電源をOnし（ｓ１１１６）、異常報知用の画像を表示部５０９の画面全体に表示するよう制御し、この制御に基づいて、表示部５０９は異常報知用の画像を表示する（ｓ１１１０）。
【０１２４】
上記実施例１、２によれば、異常発生時、宅内のサーバで異常判定を行うことにより、通信に要する時間を削減し、より素早く異常を報知することができる。
【０１２５】
また、異常を報知する表示装置の条件を予め設定しておき、この条件と宅内の表示可能な装置の状況に基づいて、異常報知を行う表示装置を決定することにより、部屋のテレビをはじめ、宅内の表示機能を備えた表示装置に、警報を報知することができ、ユーザが宅内において警報に容易に気づく環境を提供することができる。
【０１２６】
さらに、異常の内容に応じて異常を報知する画面を表示するため、ユーザにとって視認が容易な警報を表示することができる。
【０１２７】
以上、本発明に係る実施の形態について説明したが、本発明は、かかる実施の形態に限定されるものではなく、他に種々の変更が可能であることは言うまでもない。
【０１２８】
本発明の実施の形態は、特許請求の範囲に示された技術的思想の範囲内において、適宜種々の変更が可能である。
【図面の簡単な説明】
【０１２９】
【図１】実施例１に係る警報システムの構成を示す図
【図２】実施例１に係るホームサーバの構成を示す図
【図３】実施例１に係る端末装置の構成を示す図
【図４】実施例１に係るテレビの構成を示す図
【図５】実施例１に係る機器情報の構成を示す図
【図６】実施例１に係る条件情報の構成例を示す図
【図７】実施例１に係る報知画面の構成例を示す図
【図８】実施例１に係る異常報知処理の基本的な流れ示すフローチャート
【図９】実施例１に係る異常発生時の処理を示すフローチャート
【図１０】実施例１に係る機器情報の設定処理を示すフローチャート
【図１１】実施例１に係る選択条件の設定処理を示すフローチャート
【図１２】実施例２に係る警報システムの構成を示す図
【図１３】実施例２に係る異常報知処理の基本的な流れ示すフローチャート
【符号の説明】
【０１３０】
１０  異常検知装置
２０  端末装置
３０  ホームサーバ
４０  人感知装置
５０  テレビ
６０  カメラ
【図１】
2005341544.tif 000003
【図２】
2005341544.tif 000004
【図３】
2005341544.tif 000005
【図４】
2005341544.tif 000006
【図５】
2005341544.tif 000007
【図６】
2005341544.tif 000008
【図７】
2005341544.tif 000009
【図８】
2005341544.tif 000010
【図９】
2005341544.tif 000011
【図１０】
2005341544.tif 000012
【図１１】
2005341544.tif 000013
【図１２】
2005341544.tif 000014
【図１３】
2005341544.tif 000015